(57)【要約】【課題】複数の記録媒体からの再生を任意の場所で切り換えて連続再生することができるオーサリング装置を提供する。【解決手段】第１ＶＣＲに第１のテープの再生するともに第１ＶＣＲからの再生信号を出力させ、最終フレーム時刻（再生出力停止位置）Ｔ１ｂの所定フレーム前Ｔ２ｃから第２ＶＣＲの再生を開始して、所定時間Ｔ１ｅまでの間で第２のテープの再生速度を制御して第１のテープの再生と同期させ、Ｔ１ｂ＋１（＝Ｔ２ａ）の時点から第２ＶＣＲによる第２のテープの再生信号を出力させる。【選択図】  図１０
2004312236.tif 000002
【特許請求の範囲】
【請求項１】
各種コンテンツを記録した記録媒体を再生する２台以上の記録媒体再生手段と、
前記記録媒体再生手段のうち、第１の記録媒体再生手段に対してあらかじめ指定された第１の記録媒体の再生出力停止位置まで当該第１の記録媒体を再生するように指令し、第２の記録媒体再生手段に対して前記第１の記録媒体の再生出力停止位置から所定遅延時刻後第２の記録媒体の再生出力が行われるように前記第２の記録媒体の再生位置を同期させて第２の記録媒体を再生するように指令する制御手段とを備え、
前記第１の記録媒体再生手段は入力端子と出力端子を有し、前記第２の記録媒体再生手段から出力されたデータが前記第１の記録媒体再生手段の入力端子に入力されており、
前記制御手段は、前記第１の記録媒体再生手段に対して前記第１の記録媒体の再生指令とともに前記第１の記録媒体からの再生データを前記出力端子から出力するように指令し、前記第１の記録媒体の再生が前記再生出力停止位置に到達した時点で、前記第１の記録媒体再生手段の前記入力端子に入力されたデータがそのまま前記出力端子から出力されるように指令することを特徴とするオーサリング装置。
【発明の詳細な説明】
【０００１】
【発明の属する技術分野】
本発明は、映像・音声等のコンテンツをオーサリングする装置に関わり、特に、映画やドラマのように実時間に沿って再生されるコンテンツを記録したテープ媒体を素材とするオーサリングに適用可能なオーサリング装置、オーサリング方法、及びオーサリング処理プログラムに関する。
【０００２】
【従来の技術】
従来、映像・音声等のディジタルコンテンツをオーサリングするためのオーサリング装置としては、ビデオテープ上に記録されたオーディオビデオ（ＡＶ）コンテンツデータからなる素材を所望の順番で再生してハードディスクに記録し、記録された各素材を編集するものがある（例えば、特許文献１参照）。
【０００３】
また、ビデオテープ上に記録されたＡＶコンテンツデータからなる素材を所望の順番ではなくテープに記録されている順番で再生してハードディスクに記録し、記録された各素材を編集するものがある（例えば、特許文献２参照）。同様に複数のビデオテープのコンテンツをハードディスクに記録して編集するオーサリングシステムもある（例えば、特許文献３参照）。
【０００４】
さらに、近年、映画製作のようにフィルムを用いたコンテンツにおいても、編集作業の効率化のために、ディジタル映像化技術とオーサリング技術を用いた編集作業が実施されている。
【０００５】
フィルムコンテンツは、通常、フィルムをロール単位で管理しており、オーサリングの素材としてディジタル記録されたテープに変換されて供給される。したがって、１つのコンテンツは、フィルムのロール数と同じ数のテープに分割されている場合が多い。
【０００６】
一方、オーサリング工程では、１本のテープにまとまっていた方が扱いやすく、編集することも可能であるが、最大２時間程度のテープ長となるようにまとめる時間が余計に必要になることが問題となる。しかも、現実には２時間を超える映画コンテンツも多く、このような場合、一つのコンテンツを複数のテープに分割しなければならないことが多い。
【０００７】
そこで、このような複数テープにまたがるコンテンツを連続再生する技術がある（例えば、特許文献４参照）。この技術では、複数のビデオテープ再生装置（ＶＴＲ）を順次切換制御することで連続再生するのであるが、このために第１のテープ媒体に連続再生エンドモード領域を、第２のテープ媒体に連続再生スタートモード領域を形成することで、複数のＶＴＲに対して再生動作が順次に行われるようにしている。
【０００８】
【特許文献１】
特開平７−２３５１６８号公報
【０００９】
【特許文献２】
特開平１０ー３４１３９８号公報
【００１０】
【特許文献３】
特開２０００ー１２５２５３号公報
【００１１】
【特許文献４】
特開平５−９４６５２公報
【００１２】
【発明が解決しようとする課題】
しかしながら、従来のオーサリングシステムやその方法では、テープ媒体からいったんハードディスクに記録する時間が必要で編集にかかる時間が長くなり、編集効率が悪いという問題があった。
【００１３】
また、このような従来のオーサリングシステムは、編集の対象とされる素材が複数のビデオテープにまたがっていた場合、それぞれをハードディスクに記録しておかなければならず、この点でも編集作業が面倒であるという問題があった。
【００１４】
また、複数テープからの連続再生では、調相方法や出力映像信号が同期するようにタイミングを合わせるために、テープ媒体に切り替え信号を記録していたため、任意の場所で切り換えて再生を継続することができないと言う問題があった。
【００１５】
本発明の目的は、複数の記録媒体からの再生を任意の場所で切り換えて連続再生することができるオーサリング装置を提供することにある。
【００１６】
【課題を解決するための手段】
上記課題を解決するため、請求項１の発明は、各種コンテンツを記録した記録媒体を再生する２台以上の記録媒体再生手段と、前記記録媒体再生手段のうち、第１の記録媒体再生手段に対してあらかじめ指定された第１の記録媒体の再生出力停止位置まで当該第１の記録媒体を再生するように指令し、第２の記録媒体再生手段に対して前記第１の記録媒体の再生出力停止位置から所定遅延時刻後第２の記録媒体の再生出力が行われるように前記第２の記録媒体の再生位置を同期させて第２の記録媒体を再生するように指令する制御手段とを備え、前記第１の記録媒体再生手段は入力端子と出力端子を有し、前記第２の記録媒体再生手段から出力されたデータが前記第１の記録媒体再生手段の入力端子に入力されており、前記制御手段は、前記第１の記録媒体再生手段に対して前記第１の記録媒体の再生指令とともに前記第１の記録媒体からの再生データを前記出力端子から出力するように指令し、前記第１の記録媒体の再生が前記再生出力停止位置に到達した時点で、前記第１の記録媒体再生手段の前記入力端子に入力されたデータがそのまま前記出力端子から出力されるように指令することを特徴とするオーサリング装置である。
【００１７】
また、好ましい形態として、上記課題を解決するためのオーサリング方法は、第１の記録媒体再生手段に対してあらかじめ指定された第１の記録媒体の再生出力停止位置まで当該第１の記録媒体を再生するように指令するステップと、第２の記録媒体再生手段に対して前記第１の記録媒体の前記再生出力停止位置から所定遅延時刻後第２の記録媒体の再生出力が行われるように前記第２の記録媒体の再生位置を同期させて第２の記録媒体を再生するように指令するステップとを有することを要旨とする。
【００１８】
上記オーサリング方法の好ましい形態として、前記第１の記録媒体再生手段は入力端子と出力端子を有し、前記第２の記録媒体再生手段から出力されたデータが前記第１の記録媒体再生手段の入力端子に入力されており、前記第２の記録媒体を再生するように指令するステップは、前記第１の記録媒体の再生が前記再生出力停止位置に到達した時点で、前記第１の記録媒体再生手段の前記入力端子に入力されたデータがそのまま前記出力端子から出力されるように指令するステップを有する。
【００１９】
さらに、好ましい形態として、上記課題を解決するためのオーサリング処理プログラムは、第１の記録媒体再生手段に対してあらかじめ指定された第１の記録媒体の再生出力停止位置まで当該第１の記録媒体を再生するように指令するステップと、第２の記録媒体再生手段に対して前記第１の記録媒体の前記再生出力停止位置から所定遅延時刻後第２の記録媒体の再生出力が行われるように前記第２の記録媒体の再生位置を同期させて第２の記録媒体を再生するように指令するステップとを有することを要旨とする。
【００２０】
上記オーサリング処理プログラムの好ましい形態として、前記第１の記録媒体再生手段は入力端子と出力端子を有し、前記第２の記録媒体再生手段から出力されたデータが前記第１の記録媒体再生手段の入力端子に入力されており、前記第２の記録媒体を再生するように指令するステップは、前記第１の記録媒体の再生が前記再生出力停止位置に到達した時点で、前記第１の記録媒体再生手段の前記入力端子に入力されたデータがそのまま前記出力端子から出力されるように指令するステップを有する。
【００２１】
【発明の実施の形態】
以下、実施の形態として、本発明に係わるオーサリング装置を適用したオーサリングシステムについて説明する。
【００２２】
図１は、本実施の形態に係わるオーサリングシステム１０の構成を示すブロック図である。
【００２３】
このオーサリングシステム１０は、大別すると、高画質（ハイビジョン）映像の記録再生を行う映像録画再生装置１と、映像の編集作業を制御するコンピュータ３と、オーサリング結果を記憶するための外部記録装置５と、オーサリング結果を視聴するため視聴装置７とから構成される。
【００２４】
映像録画再生装置１は、標準信号発生器１１（以下、ＳＳＧ（Ｓｔａｎｄａｒｄ  Ｓｉｇｍｌ  Ｇｅｎｅｒａｔｏｒ）と称する）、高画質ビデオカセットレコーダー１２（以下、ＨＤ−ＶＣＲ（ＨｉＤｅｆｉｎｉｔｉｏｎ  Ｖｉｄｅｏ  Ｃａｓｓｅｔｔｅ  Ｒｅｃｏｒｄｅｒ）と称する）、タイムコード発生記録器１３（以下、ＴＣＧＲ（Ｔｉｍｅ  Ｃｏｄｅ  Ｇｅｎｅｒａｔｏｒ  Ｒｅａｄｅｒ）と称する）、ディジタルマルチトラックレコーダー１４（以下、ＤＭＲ（Ｄｉｇｉｔａｌ  Ｍｕｌｔｉｔｒａｃｋ  Ｒｅｃｏｒｄｅｒ）と称する）、クローズドキャプションサーバー１５（以下、ＣＣ（Ｃｌｏｓｅｄ  Ｃａｐｔｉｏｎ）サーバーと称する）、ＭＰＥＧエンコーダー１６、ドルビーＥデコーダー（Ｄｏｌｂｙ  Ｅ  Ｄｅｃ）１７、及びＡＣ−３エンコーダー（ＡＣ−３Ｅｎｃ）１８からなる。
【００２５】
ＳＳＧ１１は、再生系の同期をとる際の基準信号となるＨＤ３値同期信号及びＮＴＳＣブラックバースト（ＢＢ）信号を発生する。
【００２６】
ＨＤ３値同期信号はＨＤ−ＶＣＲ１２に供給され、ブラックバースト信号はＴＣＧＲ１３、ＤＭＲ１４、及びＣＣサーバー１５に供給される。
【００２７】
ＨＤ−ＶＣＲ１２は、ハイビジョン映像、ステレオＰＣＭ（Ｐｕｌｓｅ  Ｃｈｏｒｄ  Ｍｏｄｕｌａｔｉｏｎ）音声、及びドルビーＥエンコードされた５．１チャンネル圧縮音声を専用のテープ媒体にディジタル記録し、また、それらの記録されたテープ媒体を再生する装置である。
【００２８】
ハイビジョン映像及びステレオＰＣＭ音声は、ＭＰＥＧエンコーダー１６に供給され、圧縮音声はドルビーＥデコーダー１７に供給される。
【００２９】
なお、ＨＤ−ＶＣＲ１２は、ＲＳ４２２Ｉ／Ｆユニットとの接続ボートを備え、コンピュータ３との間で、制御信号及びタイムコードのやり取りを行うことができるようになっている。
【００３０】
ＴＣＧＲ１３は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）タイムコードのリーダー／ジェネレータであり、ＨＤ−ＶＣＲ１２の再生開始時に出力されるタイムコードを初期値として自走し、そのタイムコード出力がＣＣサーバー１５に供給される。
【００３１】
ＣＣサーバー１５は、ＴＣＧＲ１３からのタイムコード出力に従ってクローズドキャプションデータをＭＰＥＧエンコーダー１６に供給する。
【００３２】
ドルビーＥデコーダー１７は、ＨＤ−ＶＣＲ１２からの５．１チャンネル圧縮音声出力を伸長する復号装置であり、そのディジタル出力をＡＣ−３エンコーダー１８に供給する。
【００３３】
ＤＭＲ１４は、ドルビーＥデコーダー１７を使用しない場合の手段として、５．１チャンネルのマルチトラック音声がリニアＰＣＭ記録された素材テープから音声信号を再生する再生装置であり、そのディジタル出力はＡＣ−３エンコーダー１８に供給する。
【００３４】
また、ＤＭＲ１４は、ＲＳ４２２Ｉ／Ｆユニットとの接続ポートを持ち、外部機器との間で、制御信号及びタイムコードをやり取りすることが可能となっている。
【００３５】
ＡＣ−３エンコーダー１８はドルビーＥデコーダー１７からの５．１チャンネル音声データ出力をＡＣ−３形式に圧縮する符号器であり、そのディジタル出力をＭＰＥＧエンコーダー１６に供給する。
【００３６】
ＭＰＥＧエンコーダー１６は、入力されたハイビジョン映像データ、ステレオ音声データ、ＡＣ−３圧縮データ、及びクローズドキャプションデータをリアルタイムでＭＰＥＧ−ＴＳ（ＴｒａｎｓｐｏｒｔＳｔｒｅａｍ）信号に変換する。
【００３７】
ＭＰＥＧエンコーダー１６からの出力は、コンピュータ３内のディジタルデータインプットＩ／Ｆユニット３２に供給される。
【００３８】
次に、コンピュータ３は、オーサリング処理のためのプログラムが実行されることにより、映像録画再生装置１を制御する。ここでこのコンピュータ３はいわゆるパソコンなどである。
【００３９】
このコンピュータ３は、ＲＳ４２２Ｉ／Ｆユニット３１、ディジタルデータインプットＩ／Ｆユニット３２、ハードディスクドライブ（以下、ＨＤＤ（ＨａｒｄＤｉｓｃＤｒｉｖｅ）と称する）３３、ネットワークＩ／Ｆユニット３４、ＣＰＵ３５、グラフィカルユーザインターフェース（以下、ＧＵＩ（Ｇｒａｐｈｉｃａｌ  Ｕｓｅｒ  Ｉｎｔｅｒｆａｃｅ）と称する）３６、ディジタルアウトプットＩ／Ｆユニット３７、ＳＣＳＩ（Ｓｍａｌｌ  Ｃｏｍｐｕｔｅｒ  Ｓｙｓｔｅｍ  Ｉｎｔｅｒｆａｃｅ）ユニット３８、及びＲＡＭ３９を備える。
【００４０】
ＲＳ４２２Ｉ／Ｆユニット３１は、シリアルインターフェースであり、ＨＤ−ＶＣＲ１２やＤＭＲ１４などへ制御信号を伝達し、また、これらからタイムコードや現在の状態を示す信号など受信する。
【００４１】
ディジタルデータインプットＩ／Ｆユニット３２は、前述のＭＰＥＧ−ＴＳデータを受け取るためのインターフェースである。
【００４２】
ＨＤＤ３３は、例えば、ＭＰＥＧ−ＴＳデータやフォーマッティング処理途中のテンポラリーデータやオーサリング結果のイメージデータを記録する。また、このＨＤＤ３３には、後述するオーサリングのために必要な各種プログラムが格納されている。
【００４３】
ネットワークＩ／Ｆユニット３４は、例えばインターネットなどのネットワーク４０を経由してオーサリング結果の送信や素材データの受信を行うためのインターフェースである。
【００４４】
ＣＰＵ３５は、後述するプレイリストに基づくＶＣＲの再生制御処理の他、例えばキャプチャー処理、Ｄ−ＶＨＳフォーマットへの変換処理、及びモニター用デコード処理などを実行する制御手段である。これらの処理は、例えばＲＡＭ３９から読み出された所定のプログラムに従って実行される。
【００４５】
ＧＵＩ３６は、ユーザーに対しコンピュータ３に接続されているディプレイ（不図示）に、後述するプレイリストやオーサリング処理に必要な表示し、また、ユーザーからのオーサリング処理を行うコンテンツやパラメータなどの設定のための入力を受け付けるユーザーインターフェースである。ユーザーからの入力はＣＰＵ３５へ伝えられて、オーサリング処理を行うコンテンツやパラメータなどの設定が行われる。
【００４６】
ディジタルアウトプットＩ／Ｆユニット３７は、オーサリング結果をモニターするためにＤ−ＶＨＳデータを出力する。
【００４７】
ＳＣＳＩユニット３８は、オーサリング結果を出力するインターフェースである。
【００４８】
ＲＡＭ３９は、ＣＰＵ３５が実行する各プログラムが展開されるとともに、ＣＰＵ３５がプログラムの実行に際してワークエリアとして利用される。
【００４９】
そして、このコンピュータ３には、外部記憶装置５と、視聴装置７が接続されている。
【００５０】
外部記憶装置５は、ここではディジタルリニアーテープユニット（以下、ＤＬＴ（Ｄｉｇｉｔａｌ  Ｌｉｎｅａｒ  Ｔａｐｅ）と称する）を用いており、ＳＣＳＩユニット３８を介して出力されたオーサリング結果をテープ媒体にＤ−ＶＨＳフォーマットのディジタルデータとして保存する。
【００５１】
保存されたオーサリング結果には、製作者を示すＩＤがテープの先頭に記録される。このＩＤは、図２（ａ）に示すように、記録されるデータの先頭にインフォメーションデータとして記録される。そして、オーサリング結果は図示するように、このインフォメーションデータの後にトラックイメージデータとして記録される。なお、インフォメーションデータは、例えば図２（ｂ）に示すようなものである。
【００５２】
このように、オーサリング結果を記憶したテープの先頭に、製作者を示すＩＤを付加したことで、テープの最初を再生するだけで、すばやくそのテープ媒体に記録されているコンテンツの製作者を特定することが可能となる。なお、このインフォメーションデータとしては、製作者のＩＤのほかに、例えばコンテンツの題名や制作日付など、さまざまな情報をＩＤとして記録しておくことで、テープの先頭を再生するだけで、再生されたＩＤからそれらの情報を簡単に検索することも可能となる。
【００５３】
視聴装置７は、Ｄ−ＶＨＳデコーダー７１、ＭＰＥＧデコーダー７２、及びモニタリングシステム７３よりなる。
【００５４】
Ｄ−ＶＨＳデコーダー７１は、Ｄ−ＶＨＳフォーマットのデータを復号する装置であり、ＭＰＥＧデコーダー７２はその出力であるＭＰＥＧ−ＴＳを復号する装置である。
【００５５】
モニタリングシステム７３は、ＡＶアンプ、５．１チャンネル用スピーカー、及びハイビジョンモニターを備え、ＭＰＥＧデコーダー７２からのＭＰＥＧ−ＴＳデータを音声及び映像としてユーザーが視聴できるようにする。
【００５６】
図３はプレイリストの一例を示す説明図である。
【００５７】
プレイリスト１００は、ＧＵＩ３６によってコンピュータ３に接続されたディスプレイ画面上に表示され、対象のＶＣＲを識別するＩＤ番号をＶＣＲＩＤエディットボックス１０１に設定し、ＶＣＲにかけられているテープのインポイントタイムコード（再生出力開始位置：図中インポイントＴＣ）をＩｎＰｏｉｎｔＴＣエディットボックス１０３で指定し、アウトポイントタイムコード（再生出力停止位置：図中アウトポイントＴＣ）をＯｕｔＰｏｉｎｔＴＣエディットボックス１０５で指定する。また、ＵｓｅＤｒｏｐｆｒａｍｅｔｉｍｅｃｏｄｅチェックボックス１０７によりドロップフレームタイムコードの使用も設定できる。
【００５８】
そして、本システムでは、このプレイリストを複数ページ持つことができる。これは、例えば、後述するように複数台接続されているＶＣＲごとに図３に示したようなプレイリストを設定することで、それぞれのＶＣＲにかけられているテープ媒体に対してその再生出力開始位置と再生出力停止位置を指定することができる。また、一つのＶＣＲに対しても複数のプレイリストを設定して、不連続な再生を指定することができる。そして、このような複数のプレイリストは、Ｐａｇｅエディットボックス１０９に指定した番号の章順に再生され、複数台のＶＣＲでは、後述するようにシームレスな連続再生が可能となる。
【００５９】
［Ｄ−ＶＨＳテープフォーマットの概要］
ここで、Ｄ−ＶＨＳテープのフォーマット構成を簡単に説明する。
【００６０】
Ｄ−ＶＨＳは、記録レートにより、ＳＴＤ（１４．１Ｍｂｐｓ）、ＬＳ３（４．７Ｍｂｐｓ）、ＨＤ（２８．２Ｍｂｐｓ）のモードがある。本システムはＨＤモードを使用することでコンテンツ素材の持つハイビジョン並の高精細な映像を提供できる。
【００６１】
図４は、Ｄ−ＶＨＳテープのトラック構成を示す説明図である。
【００６２】
トラック構成は、マージン（２シンクブロック（ＳＢ））、プリアンブル（３シンクブロック）、サブコード（４シンクブロック）、ポストアンブル（３シンクブロック）、ＩＢＧ（（インターブロックギャップ）３シンクブロック）、プリアンブル（１シンクブロック）、メインコード（３３６シンクブロック）、ポストアンブル（２シンクブロック）、マージン（２シンクブロック）の合計３５６シンクブロックからなる。
【００６３】
図５は、Ｄ−ＶＨＳテープのサブコードセクターを示す説明図である。
【００６４】
サブコードセクターは、図５に示すように、サブコードシンクブロック１６個により構成される。
【００６５】
ここでＩＤは３シンクブロックを単位としてアブソリュートトラック番号、ＴＡＧ、シンクブロック番号を記録する。また、データ部は、ヘッダーと３個のパック（ＰＡＣＫ）により構成される。
【００６６】
サブコードシンクブロックのサイズはメインコードシンクブロックの１／４である。
【００６７】
このサブコードシンクブロック構成は、シンク（２バイト）、ＩＤ（３バイト）、ヘッダー（１バイト）、パックデータ１（６バイト）、パックデータ２（６バイト）、パックデータ３（６バイト）、インナーパリティ（４バイト）の合計２８パイトからなる。
【００６８】
図６は、Ｄ−ＶＨＳテープのメインコードセクターを示す説明図である。
【００６９】
メインコードセクターは、図６に示すように、メインデータシンクブロックのメインコードシンクブロック３３６個により構成される。
【００７０】
ＩＤには３シンクブロックを単位としてシーケンス番号、ペアトラック番号、シンクブロック番号を記録する。
【００７１】
ヘッダーにはフォーマット情報とシンクブロック情報が含まれ、データＡＵＸには補助データとしてテキスト、タイムコードなどを記録する。
【００７２】
メインデータシンクブロック構成は、シンク（２バイト）、ＩＤ（３バイト）、ヘッダー（２バイト）、データ−ＡＵＸ（１バイト）、メインデータ（９６バイト）、インナーパリティ（４バイト）の合計１１２バイトからなる。
【００７３】
図７は、Ｄ−ＶＨＳテープのメインデータを示す説明図である。
【００７４】
メインデータは、図７に示すように、ＭＰＥＧトランスポートストリームパケットを記録する。
【００７５】
ＭＰＥＧトランスポートストリームは、メインデータシンクブロック番号ｎ及びｎ＋１の２シンクブロックから成り、１９２バイトのデータはパケットヘッダ（４バイト）、及びトランスポートパケット（１８８バイト）で構成される。
【００７６】
図８（ａ）は、Ｄ−ＶＨＳテープのＥＣＣシステムを示す説明図である。メインデータは、図８（ｂ）に示すように、積符号構成のＥＣＣブロックを基本とし、テープ上では６トラック（１８ＥＣＣブロック）でシャフリングされ記録する。このため１／２トラック以上のバーストエラーを訂正できる。
【００７７】
メインコードのＥＣＣブロック構成は、１０２ＳＢのデータシンクブロックと１０ＳＢのアウターパリティシンクブロックの合計１１２シンクブロックからなる。
【００７８】
［つなぎ再生の方法］
次に、複数のテープコンテンツを連続的につないで再生する手順を説明する。
【００７９】
ここではテープコンテンツの送出機器となるｎ台のビデオカセットレコーダー（ＶＣＲ）の接続方法について、ｎが２の場合、すなわち、第１ＶＣＲと第２ＶＣＲの２台のＶＣＲを用いた場合について説明する。
【００８０】
図９は、２台のＶＣＲをカスケード接続した例を示すブロック図である。
【００８１】
この場合、第２ＶＣＲの出力を第１ＶＣＲの入力に接続し、第１ＶＣＲの出力をＭＰＥＧエンコーダー１６の入力に接続するカスケード接続とする。なお、図９においては、第１ＶＣＲ及び第２ＶＣＲは、図１に示したＨＤ−ＶＣＲ１２に対応しており、このように複数のＶＣＲがある場合、一つの映像録画再生装置１内に２台のＶＣＲユニットが存在し、その他の周辺機器（ＳＳＧ１１、ＴＣＧＲ１３、ＤＭＲ１４、ＣＣサーバー１５、ドルビーＥデコーダー１７、ＡＣ−３エンコーダー１８（これらは図９において不図示）、及びＭＰＥＧエンコーダー１６（図９に図示）は、２台のＶＣＲが共用することとしている。
【００８２】
このようにカスケード接続とする場合は、直列に接続された第１ＶＣＲ１２１及び第２ＶＣＲ１２２は、コンピュータ３からＲＳ４２２Ｉ／Ｆユニット経由で制御信号とデータの送受信が可能である。
【００８３】
このような２台のＶＣＲからのテープコンテンツのつなぎ再生の基本動作は、まずコンピュータ３が、第１ＶＣＲ１２１に再生命令を発行する。第１ＶＣＲ１２１の出力信号は第１のテープの再生内容である。ここで第１ＶＣＲ１２１の出力モード設定はＶＣＲ自身が再生しているテープ媒体の再生信号を出力する再生出力モード（ＰＢ（ＰｌａｙＢａｃｋ））となっている。
【００８４】
続いて、コンピュータ３は第２ＶＣＲ１２２へ再生命令を発行する。また、第１ＶＣＲ１２１へ第１ＶＣＲ１２１の入力端子から入った第２ＶＣＲ１２２の出力信号がそのまま第１ＶＣＲ１２１の出力端子から出力されるように切り換えるＥＥＯＮ命令を発行する。
【００８５】
ＥＥＯＮ命令が有効になると第１ＶＣＲ１２１の出力信号は第１のテープの再生内容から第２のテープの再生内容に切り替わる。このとき第１ＶＣＲ１２１の出力モード設定はライン入力からの出力（これをＥＥ（Ｅｌｅｃｔｒｉｃ  ｔｏＥｌｅｃｔｒｉｃ）と称する）となる。
【００８６】
このようなつなぎ再生で重要なことは、第１のテープの内容の最終フレームが再生される時刻Ｔに対して１フレーム遅れで第２のテープの内容の先頭フレームが再生されるように第２ＶＣＲ１２２の位相を変えて同期調整を行うことと、出力内容が時刻Ｔ＋１フレームに切り替わるタイミングで第１ＶＣＲ１２１へＥＥＯＮ命令を発行することである。
【００８７】
このつなぎ再生の結果、ＭＰＥＧエンコーダー１６への入力信号は、第１ＶＣＲ１２１に挿入された第１のテープの先頭から第２ＶＣＲ１２２に挿入された第２のテープの最後までを１本のテープからの再生のようにシームレスに再生された信号となる。
【００８８】
［同期調整の方法］
ここで、同期調整の方法を説明する。
【００８９】
図１０は、同期調整と命令のタイミングを示すタイムシーケンス図であり、図１１は、その処理手順を示すフローチャートである。
【００９０】
なお、以下の説明において時刻とは、再生するテープに記録されているＳＭＰＴＥタイムコードを指す。
【００９１】
まず、図１０に示したタイムシーケンスを参照して同期調整と命令のタイミングについて説明する。
【００９２】
（１）第１ＶＣＲ１２１の再生内容と命令タイミング
第１ＶＣＲ１２１に再生（ＰＬＡＹ）命令を発行する。そして、再生する第１のテープの内容の先頭フレーム時刻（再生開始位置）をＴ１ａ、最終フレーム時刻（再生出力停止位置）をＴ１ｂとし、Ｔ１ｂ＋１フレームから１分前の時刻をＴ１ｃとする。
【００９３】
同期調整期間はＴ１ｃから始まりＴ１ｅで終わる。
【００９４】
ＥＥＯＮ命令は発行して５フレーム後に有効になることよりＴ１ｂ＋１フレームから５フレーム前の時刻Ｔ１ｄをＥＥＯＮ命令発行時刻とする。
【００９５】
第１ＶＣＲ１２１には時刻Ｔ１ａからＴ１ｄまでのタイムコード読み取り期間の間、タイムコード読み取り命令（ＴＣＲＥＡＤ命令）が発行される。そして、時刻Ｔ１ｂ＋１以降に停止命令（ＳＴ０Ｐ命令）が発行される。
【００９６】
（２）第２ＶＣＲ１２２の再生内容と命令タイミング
第２ＶＣＲ１２２にて再生する第２のテープの内容の先頭フレーム時刻Ｔ２ａから１分前を再生命令（ＰＬＡＹ命令）発行時刻Ｔ２ｃとする。また、テープ内容の最終フレーム時刻Ｔ２ｂを停止命令（ＳＴＯＰ命令）発行時刻とする。
【００９７】
時刻Ｔ２ｃからの同期調整機関の間、タイムコード読み取り命令（ＴＣＲＥＡＤ命令）とスピードコントロール命令（ＳＰＥＥＤＣＯＮＴＲＯＬ命令）が発行され再生速度を変化させて同期調整する。
【００９８】
（３）ＶＣＲ２−１の出力信号と出力モード設定
初期状態の第１ＶＣＲ１２１の出力モード設定を再生出力モードに設定する。これにより出力は第１のテープの内容となる。
【００９９】
ＥＥＯＮ命令が有効になる時刻Ｔ１ｂ＋１から出力モード設定はＥＥモードとなり、出力は第２のテープの内容となる。
【０１００】
第１ＶＣＲ１２１と第２ＶＣＲ１２２の再生時における適切な位相関係は時刻Ｔ１ｂ＋１と時刻Ｔ２ａが時間軸上で一致させることである。
【０１０１】
図１０に示したタイミングシーケンスではその点を考慮し、横方向の時間軸は上記（１）第１ＶＣＲ１２１の再生内容と命令タイミング、（２）第２ＶＣＲ１２２の再生内容と命令タイミング、及び（３）第１ＶＣＲ１２１の出力信号と出力モード設定で共通である。
【０１０２】
次に図１１に示したフローチャートを参照して処理手順を説明する。
【０１０３】
先に再生時における適切な位相関係は時刻Ｔ１ｂ＋１と時刻Ｔ２ａが時間軸上で一致していることであると述べたが、その位相関係は時刻Ｔ１ｂ＋１と時刻Ｔ２ａの差分で表すことができる。
【０１０４】
同期調整期間においては第１ＶＣＲ１２１と第２ＶＣＲ１２２の時刻の差分を計算し、照合することで位相関係の検証ができる。
【０１０５】
以下、コンピュータ３内のＣＰＵ３５の動作による再生制御の処理手順を説明する。
【０１０６】
まず、コンピュータ３は、第１ＶＣＲ１２１を再生出力モードに設定し、Ｔ１ｂ＋１フレームとＴ２ａの差分をｄ１として計算する。このとき、あらかじめ第１ＶＣＲ１２１をＴ１ａに、第２ＶＣＲ１２２をＴ２ｃにキューアップしておく（Ｓ１）。なお、第１ＶＣＲ１２１での再生開始位置となるＴ１ａ、第２ＶＣＲ１２２での再生開始位置となるＴ２ｃ、及び第１ＶＣＲ１２１での再生終了位置となるＴ１ｃ、第２ＶＣＲ１２２での再生終了位置となるＴ２ｄは、いずれも前述したプレイリストによって入力された時刻（各テープの再生位置）であり、これらのプレイリストから入力された値は、ＲＡＭ３９上に一次記憶されている。
【０１０７】
なお、プレイリストは、ＲＡＭ３９に代えてＨＤＤ３３に記憶するようにしておいてもよい。ＨＤＤ３３にプレイリストを記憶させることで、コンピュータの電源を切った後（又はオーサリングのためのプログラムを終了した後）から出も、一度入力したプレイリストを呼び出すことができるようになる。
【０１０８】
続いて、コンピュータ３は、第１ＶＣＲ１２１に再生命令（ＰＬＡＹ命令）を発行する（Ｓ２）。
【０１０９】
その後、コンピュータ３は、第１ＶＣＲ１２１へタイムコード読み取り命令（ＴＣＲＥＡＤ命令）を発行しタイムコード（ＴＣ）を取得する（Ｓ３）。
【０１１０】
そして、コンピュータ３は、タイムコード（ＴＣ）がＴ１ｃに達したか判断する（Ｓ４）。
【０１１１】
ここで、タイムコード（ＴＣ）がＴ１ｃに達していない場合には（Ｓ４：Ｎｏ）、ステップＳ３へ戻り第１ＶＣＲ１２１へのタイムコード読み取り命令の発行を繰り返す。そして、タイムコード（ＴＣ）がＴ１ｃに達した時点で（Ｓ４：Ｙｅｓ）、第２ＶＣＲ１２２に再生命令（ＰＬＡＹ命令）を発行する（Ｓ５）。
【０１１２】
その後、第１ＶＣＲ１２１及び第２ＶＣＲ１２２にタイムコード読み取り命令（ＴＣＲＥＡＤ命令）を発行し、それらの時刻の差分ｄｘを計算する（Ｓ６）。
【０１１３】
そして、コンピュータ３は、第１ＶＣＲ１２１と第２ＶＣＲ１２２の時刻の差分ｄｘとステップＳ１で求めておいたｄ１とを比較する（Ｓ７）。
【０１１４】
比較の結果、ｄｘとｄ１が同じ場合は（Ｓ７：Ｙｅｓ）、その時刻は同期調整の完了時刻Ｔ１ｅであるから、第１ＶＣＲ１２１にタイムコード読み取り命令（ＴＣＲＥＡＤ命令）を繰り返し発行して、時刻Ｔ１ｄになるまで待つ（Ｓ１２）。そして、タイムコードが時刻Ｔ１ｄに達したらＥＥＯＮ命令を発行する（Ｓ１３）。これにより出力モード設定がＥＥモードに変更された後、第１ＶＣＲ１２１に停止命令（ＳＴＯＰ命令）を発行して、第１ＶＣＲ１２１の再生動作を停止させる（Ｓ１４）。
【０１１５】
一方、ｄｘがｄ１より大きい場合は（Ｓ７：Ｎｏ、Ｓ８：Ｙｅｓ）、第２ＶＣＲ１２２の再生位置が第１ＶＣＲ１２１の再生位置より遅れているので第２ＶＣＲ１２２の再生速度を正規の値から１０％上げるスピードコントロール命令（ＳＰＥＥＤＣＯＮＴＲＯＬ命令）を第２ＶＣＲ１２２に発行する（Ｓ１０）。
【０１１６】
また、逆にｄｘがｄ１以下の場合は（Ｓ７：Ｎｏ、Ｓ８：Ｎｏ）、第２ＶＣＲ１２２の再生位置が第１ＶＣＲ１２１の再生位置より進んでいるので再生速度を１０％下げるスピードコントロール命令（ＳＰＥＥＤＣＯＮＴＲＯＬ命令）を第２ＶＣＲ１２２に発行する（Ｓ９）。
【０１１７】
その後、コンピュータ３は、一定時間後（ここでは６フレーム時間）、第２ＶＣＲ１２２の再生速度を正規の値にするスピードコントロール命令（ＳＰＥＥＤＣＯＴＲＯＬ）命令を発行し、速度が安定するまでの時間（６０フレーム時間＝２秒）を待ち（Ｓ１１）、第１ＶＣＲ１２１及び第２ＶＣＲ１２２のタイムコード（ＴＣ）を読みとって差分ｄｘを計算するステップＳ６に戻る。
【０１１８】
このように本実施の形態では、第１のＶＣＲと第２のＶＣＲから再生されたテープコンテンツが、任意の時刻によって位相関係が合われてシームレスに再生される。そして、その再生データは、コンピュータ３内でオーサリング処理されて、ＤＬＴに１つのコンテンツとして保存されたり、また視聴装置によってあたかも１本のテープから再生されたごとくユーザーが視聴できるようになる。したがって、例えば映画等のコンテンツが一般に供給されるマテリアル形態であるロール単位のテープ素材をそのままオーサリングでき編集効率が良く、特にＤ−ＶＨＳのＨＤモードを利用したハイビジョン並の高精彩映像の場合はデータ量がＮＴＳＣ画像の数倍と多く、より有意義である。
【０１１９】
以上本発明を適用した実施の形態を説明したが、本発明はこのような実施の形態に限定されるものではない。例えば上述した実施の形態では、２台のＶＣＲからの連続再生としているが、３台以上のＶＣＲからの連続再生も同様に実行することが可能である。
【０１２０】
また、上述の実施の形態では、２台のＶＣＲが周辺機器を共用することとしているが、２台のＶＤＲごとに周辺機器があってもよい。
【０１２１】
また、上述した実施の形態では、ハイビジョンによる映像及び音声を扱うテープ媒体を用いることとしているが、その他のテープ媒体であっても良いし、また映像のみ、あるいは音声のみのテープ媒体であっても同様につなぎ再生を行うことが可能である。さらに本発明は、テープ媒体、テープ再生手段に限定されるものではなく、各種コンテンツを記録・再生可能な他の記録媒体、及びその再生手段についても応用可能である。
【０１２２】
【発明の効果】
以上説明したように本発明によれば、コンテンツの記録された複数の記録媒体を一つの記録媒体にまとめる際に、任意の場所でつなげて１本の再生データとして取り出すことが可能となるので、オーサリングの前処理として編集用ハードディスクへ記録するなどの作業が不要になる。また、これにより、コンテンツの記録媒体としてテープを使用した場合の最大再生時間の制限を克服することができる。
【図面の簡単な説明】
【図１】本実施の形態に係わるオーサリングシステムの構成を示すブロック図である。
【図２】外部記録媒体に記録される製作者ＩＤを説明するための説明図である。
【図３】プレイリストの一例を示す説明図である。
【図４】Ｄ−ＶＨＳテープのトラック構成を示す説明図である。
【図５】Ｄ−ＶＨＳテープのサブコードセクターを示す説明図である。
【図６】Ｄ−ＶＨＳテープのメインコードセクターを示す説明図である。
【図７】Ｄ−ＶＨＳテープのメインデータを示す説明図である。
【図８】Ｄ−ＶＨＳテープのＥＣＣシステムを示す説明図である。
【図９】２台のＶＣＲをカスケード接続した例を示すブロック図である。
【図１０】つなぎ再生の同期調整と命令のタイミングを示すタイムシーケンス図である。
【図１１】つなぎ再生の処理手順を示すフローチャートである。
【符号の説明】
１  映像録画再生装置
３  コンピュータ
５  外部記録装置
１０  オーサリングシステム
１１  ＳＳＧ
１２  ＨＤ−ＶＣＲ
１３  ＴＣＧＲ
１４  ＤＭＲ
１５  ＣＣサーバー
１６  ＭＰＥＧエンコーダー
１７  ドルビーＥデコーダー
１８  ＡＣ−３エンコーダー
３１  ＲＳ４２２Ｉ／Ｆユニット
３２  ディジタルデータインプットＩ／Ｆユニット
３３  ＨＤＤ
３４  ネットワークＩ／Ｆユニット
３５  ＣＰＵ
３６  ＧＵＩ
３７  ディジタルアウトプットＩ／Ｆユニット
３８  ＳＣＳＩユニット
３９  ＲＡＭ
３９  ネットワーク
７１  Ｄ−ＶＨＳデコーダー
７２  ＭＰＥＧデコーダー
７３  モニタリングシステム
１２１  第１ＶＣＲ
１２２  第２ＶＣＲ
【図１】
2004312236.tif 000003
【図２】
2004312236.tif 000004
【図３】
2004312236.tif 000005
【図４】
2004312236.tif 000006
【図５】
2004312236.tif 000007
【図６】
2004312236.tif 000008
【図７】
2004312236.tif 000009
【図８】
2004312236.tif 000010
【図９】
2004312236.tif 000011
【図１０】
2004312236.tif 000012
【図１１】
2004312236.tif 000013